(57)【要約】      （修正有）【課題】ベルト調節具の長さ寸法を短くしたとしても、縦材と第１横材との接続部分に円弧形状の逃がし部を形成することができ、接続部分への応力集中を防止することができるベルト調節具を提供する。【解決手段】ベルトの長さ方向に延びる一対の縦材２０と、縦材の長さ方向一端側から他端側に並べて配置され、一対の縦材を連結する第１〜第３横材と、を備え、第１横材３１は、上面と、下面と、上面と下面とを後端側で接続する後面３１ｃと、を有し、一対の縦材２０は、第１横材の後面３１ｃとの接続部分に逃がし部２１を有し、逃がし部２１は、縦材の幅方向内側面２０ａと第１横材の上面とが接続する位置よりも幅方向外側に凹む円弧形状である。【選択図】図２
0003208551.tif 000002
【実用新案登録請求の範囲】
【請求項１】
ベルト（Ｂ１，Ｂ２）の長さ方向に延びる一対の縦材（２０）と、
前記縦材（２０）の長さ方向一端側から他端側に並べて配置され、前記一対の縦材（２０）を連結する第１〜第３横材（３１，３２，３３）と、を備え、
前記第１横材（３１）は、上面（３１ａ）と、下面（３１ｂ）と、前記上面（３１ａ）と前記下面（３１ｂ）とを後端側で接続する後面（３１ｃ）と、を有し、
前記一対の縦材（２０）は、前記第１横材（３１）の前記後面（３１ｃ）との接続部分に逃がし部（２１）を有し、
前記逃がし部（２１）は、前記縦材（２０）の幅方向内側面（２０ａ）と前記第１横材（３１）の前記上面（３１ａ）とが接続する位置よりも幅方向外側に凹む円弧形状であることを特徴とするベルト調節具（１０）。
【請求項２】
前記一対の縦材（２０）は、その下面（２０ｂ）と前記幅方向内側面（２０ａ）との境界部分にテーパ面（２５）を有し、
前記テーパ面（２５）における前記第１横材（３１）の前記後面（３１ｃ）との接続部分に前記逃がし部（２１）が設けられることを特徴とする請求項１に記載のベルト調節具（１０）。
【請求項３】
前記一対の縦材（２０）は、その下面（２０ｂ）と前記幅方向内側面（２０ａ）との境界部分に段差を有し、
前記段差における前記第１横材（３１）の前記後面（３１ｃ）との接続部分に前記逃がし部（２１）が設けられることを特徴とする請求項１に記載のベルト調節具（１０）。
【請求項４】
前記第３横材（３３）は、上面（３３ａ）と、下面（３３ｂ）と、前記上面（３３ａ）と前記下面（３３ｂ）とを前端側で接続する前面（３３ｃ）と、を有し、
前記一対の縦材（２０）は、前記第３横材（３３）の前記前面（３３ｃ）との接続部分に第２逃がし部（２２）を有し、
前記第２逃がし部（２２）は、前記縦材（２０）の前記幅方向内側面（２０ａ）と前記第３横材（３３）の前記上面（３３ａ）とが接続する位置よりも幅方向外側に凹む円弧形状であることを特徴とする請求項１又は２に記載のベルト調節具（１０）。
【請求項５】
前記一対の縦材（２０）は、その上面（２０ｃ）と前記幅方向内側面（２０ａ）との境界部分に縦材側縁部（２６）を有し、
前記第２横材（３２）は、その上面（３２ａ）と前記第１横材（３１）側の側面（３２ｃ）との境界部分に横材側縁部（２７）を有し、
前記縦材側縁部（２６）と前記横材側縁部（２７）との境界部分に第３逃がし部（２３）を有し、
前記第３逃がし部（２３）は、前記縦材（２０）の前記幅方向内側面（２０ａ）と前記第２横材（３２）の下面（３２ｂ）とが接続する位置よりも幅方向外側に凹む円弧形状であることを特徴とする請求項１〜３のいずれか１項に記載のベルト調節具（１０）。
【考案の詳細な説明】
【技術分野】
【０００１】
本考案は、ベルトの長さを調節することができるベルト調節具に関する。
【背景技術】
【０００２】
従来のベルト調節具として、ベルトの長さ方向に延びる左右一対の縦材と、縦材の長さ方向一端側から他端側に並べて配置され、左右一対の縦材を連結する第１〜第３横材と、を備え、第１横材が、第２横材に巻き掛けられた長さ調節用ベルトと接触して、長さ調節用ベルトの位置を固定する横材であり、第３横材が、固定用ベルトが取り付けられる横材であるものが知られている（例えば、特許文献１参照）。
【先行技術文献】
【特許文献】
【０００３】
【特許文献１】特開２００７−０２９６５４号公報
【考案の概要】
【考案が解決しようとする課題】
【０００４】
ところで、近年では、ベルト調節具の長さ寸法（ベルトの長さ方向に沿った寸法）を短くしたいという要望がある。そこで、ベルト調節具の長さ寸法を短くする場合、第１横材と第２横材との間の隙間が狭くなるため、ベルト調節具を成形する金型の制約上、縦材と第１横材との接続部分に円弧形状の逃がし部を設けることができず、その接続部分が直角形状になってしまう。そして、接続部分に逃がし部を設けられない場合、接続部分に応力が集中して、ベルト調節具が破損する可能性があった。
【０００５】
本考案は、前述した事情に鑑みてなされたものであり、その目的は、ベルト調節具の長さ寸法を短くしたとしても、縦材と第１横材との接続部分に円弧形状の逃がし部を形成することができ、接続部分への応力集中を防止することができるベルト調節具を提供することにある。
【課題を解決するための手段】
【０００６】
本考案の上記目的は、下記の構成により達成される。
（１）ベルトの長さ方向に延びる一対の縦材と、縦材の長さ方向一端側から他端側に並べて配置され、一対の縦材を連結する第１〜第３横材と、を備え、第１横材は、上面と、下面と、上面と下面とを後端側で接続する後面と、を有し、一対の縦材は、第１横材の後面との接続部分に逃がし部を有し、逃がし部は、縦材の幅方向内側面と第１横材の上面とが接続する位置よりも幅方向外側に凹む円弧形状であることを特徴とするベルト調節具。
（２）一対の縦材は、その下面と幅方向内側面との境界部分にテーパ面を有し、テーパ面における第１横材の後面との接続部分に逃がし部が設けられることを特徴とする（１）に記載のベルト調節具。
（３）一対の縦材は、その下面と幅方向内側面との境界部分に段差を有し、段差における第１横材の後面との接続部分に逃がし部が設けられることを特徴とする（１）に記載のベルト調節具。
（４）第３横材は、上面と、下面と、上面と下面とを前端側で接続する前面と、を有し、一対の縦材は、第３横材の前面との接続部分に第２逃がし部を有し、第２逃がし部は、縦材の幅方向内側面と第３横材の上面とが接続する位置よりも幅方向外側に凹む円弧形状であることを特徴とする（１）又は（２）に記載のベルト調節具。
（５）一対の縦材は、その上面と幅方向内側面との境界部分に縦材側縁部を有し、第２横材は、その上面と第１横材側の側面との境界部分に横材側縁部を有し、縦材側縁部と横材側縁部との境界部分に第３逃がし部を有し、第３逃がし部は、縦材の幅方向内側面と第２横材の下面とが接続する位置よりも幅方向外側に凹む円弧形状であることを特徴とする（１）〜（３）のいずれか１つに記載のベルト調節具。
【考案の効果】
【０００７】
本考案によれば、一対の縦材が、第１横材の後面との接続部分に逃がし部を有し、逃がし部が、縦材の幅方向内側面と第１横材の上面とが接続する位置よりも幅方向外側に凹む円弧形状であるため、ベルト調節具の長さ寸法を短くしたとしても、縦材と第１横材との接続部分に円弧形状の逃がし部を形成することができ、接続部分への応力集中を防止することができる。
【図面の簡単な説明】
【０００８】
【図１】本考案に係るベルト調節具の第１実施形態を説明する上面側斜視図である。
【図２】図１に示すベルト調節具の下面側斜視図である。
【図３】図１に示すベルト調節具の上面図である。
【図４】図１に示すベルト調節具の下面図である。
【図５】図３のＡ−Ａ線断面図である。
【図６】図４に示す逃がし部の周辺の拡大斜視図である。
【図７】図５のＢ−Ｂ線断面図である。
【図８】図５のＣ−Ｃ線断面図である。
【図９】第１実施形態のベルト調節具の第１変形例を説明する下面図である。
【図１０】図９に示す逃がし部の周辺の拡大斜視図である。
【図１１】第１実施形態のベルト調節具の第２変形例を説明する下面図である。
【図１２】図１１に示す逃がし部の周辺の拡大斜視図である。
【図１３】第１実施形態のベルト調節具の第３変形例を説明する上面図である。
【図１４】図１３に示す逃がし部の周辺の拡大斜視図である。
【図１５】本考案に係るベルト調節具の第２実施形態を説明する上面図である。
【図１６】図１５に示すベルト調節具の下面図である。
【図１７】図１５のＤ−Ｄ線断面図である。
【図１８】図１６に示す逃がし部の周辺の拡大斜視図である。
【考案を実施するための形態】
【０００９】
以下、本考案に係るベルト調節具の各実施形態について、図面に基づいて詳細に説明する。なお、以後の説明において、上側とは図３の紙面に対して手前側、下側とは図３の紙面に対して奥側、左側とは図３の紙面に対して左側、右側とは図３の紙面に対して右側、前側とは図３の紙面に対して上側、後側とは図３の紙面に対して下側とする。また、左右方向は幅方向とも言う。また、前後方向は長さ方向とも言う。
【００１０】
（第１実施形態）
まず、図１〜図１４を参照して、本考案に係るベルト調節具の第１実施形態について説明する。
【００１１】
本実施形態のベルト調節具１０は、長さ調節用ベルトＢ１と固定用ベルトＢ２とを連結して、長さ調節用ベルトＢ１の長さを調節するものであり、図１〜図５に示すように、ベルトＢ１，Ｂ２の長さ方向に延びる一対の縦材２０と、縦材２０の長さ方向一端側から他端側に並べて配置され、一対の縦材２０を幅方向に連結する第１〜第４横材３１〜３４と、を備える。
【００１２】
第１横材３１は、第２横材３２に巻き掛けられた長さ調節用ベルトＢ１と接触して、長さ調節用ベルトＢ１の位置を固定する横材であり、ベルト調節具１０の下面側に設けられている。第１横材３１は、上面３１ａと、下面３１ｂと、上面３１ａと下面３１ｂとを後端側（第２横材３２側の端部）で接続する後面３１ｃと、を有する。また、第１横材３１の後面３１ｃは、第２横材３２に巻き掛けられた長さ調節用ベルトＢ１と接触する面である。図示例では、第１横材３１は穴部３１ｄを備える。
【００１３】
第２横材３２は、長さ調節用ベルトＢ１が巻き掛けられる横材であり、ベルト調節具１０の上面側に設けられている。第２横材３２は、上面３２ａと、下面３２ｂと、上面３２ａと下面３２ｂとを前端側（第１横材３１側の端部）で接続する前面３２ｃと、を有する。そして、長さ調節用ベルトＢ１は、図５に示すように、第２横材３２と第３横材３３との間の第１開口３５ａに下側から挿入され、第２横材３２の上面３２ａに巻き掛けられた後、第２横材３２と第１横材３１との間の第２開口３５ｂに上側から挿入され、ベルト調節具１０の前方に引き出される。
【００１４】
第３横材３３は、固定用ベルトＢ２が取り付けられる横材であり、ベルト調節具１０の下面側に設けられている。第３横材３３は、上面３３ａと、下面３３ｂと、上面３３ａと下面３３ｂとを前端側（第２横材３２側の端部）で接続する前面３３ｃと、を有する。そして、固定用ベルトＢ２は、図５に示すように、第３横材３３と第４横材３４との間の第３開口３５ｃに下側から挿入され、第３横材３３の上面３３ａ及び前面（巻掛面）３３ｃに巻き掛けられた後、第２横材３２と第３横材３３との間の第１開口３５ａから下側且つベルト調節具１０の後方に引き出される。また、固定用ベルトＢ２の端部は縫着又は鋲着により固定用ベルトＢ２に固定される。
【００１５】
そして、本実施形態では、図４〜図８に示すように、一対の縦材２０は、第１横材３１の後面３１ｃとの接続部分に円弧形状の逃がし部２１を有する。逃がし部２１は、ベルト調節具１０の下面側に設けられ、より具体的には、ベルト調節具１０の下面から上側に向けて（第２横材３２に向けて）形成されている。さらに詳細に説明すると、逃がし部２１は、縦材２０の幅方向内側面２０ａに幅方向外側に凹む凹状の円弧面として形成され、第１横材３１の後面３１ｃに滑らかに接続されている。
【００１６】
逃がし部２１は、図７及び図８に示すように、縦材２０の幅方向内側面２０ａと第１横材３１の上面３１ａとが接続する位置を基準として、その位置よりも幅方向外側に凹む円弧形状の逃がし部である。そして、第１横材３１の後面３１ｃと縦材２０とが接続する位置に、上記の基準位置よりも幅方向外側に凹ませた逃がし部２１を設けることにより、縦材２０と第１横材３１との接続位置がエッジ形状とならず、応力集中を避けることができる。
【００１７】
第１横材３１の後面３１ｃは、長さ調節用ベルトＢ１と接触して位置を固定するため、大きな力がかかる。そのため、縦材２０との接続部分は破壊しやすい部分である。
【００１８】
以上説明したように、本実施形態のベルト調節具１０によれば、一対の縦材２０が、第１横材３１の後面３１ｃとの接続部分に逃がし部２１を有し、逃がし部２１が、縦材２０の幅方向内側面２０ａと第１横材３１の上面３１ａとが接続する位置よりも幅方向外側に凹む円弧形状であるため、ベルト調節具１０の長さ寸法を短くしたとし、第１横材と第２横材との間の隙間が狭くなったとしても、縦材２０と第１横材３１との接続部分に円弧形状の逃がし部２１を形成することができ、接続部分への応力集中を防止することができる。
【００１９】
また、本実施形態のベルト調節具１０によれば、第１〜第３横材３１〜３３に比べて力のかかりにくい縦材２０側に逃がし部２１を設けているため、大きな逃がし部２１を設けたとしても、ベルト調節具１０の強度が低下することはない。また、縦材２０の下側に逃がし部２１設けているため、大きな逃がし部２１を設けたとしても、逃がし部２１が目立つことはない。また、逃がし部２１を設けることにより軽量化を図ることができる。なお、逃がし部２１が小さすぎると、製造時に離型しにくいため、逃がし部２１は可能な限り大きい方が好ましい。
【００２０】
次に、図９及び図１０を参照して、本実施形態の第１変形例について説明する。本変形例では、一対の縦材２０の幅方向内側面２０ａと下面２０ｂとの境界部分で第１横材３１と隣接する部分にテーパ面２５を形成し、このテーパ面２５における第１横材３１の後面３１ｃとの接続部分に逃がし部２１を形成する。また、テーパ面２５ではなく段差を設けてもよい。段差は、下面２０ｂにおけるテーパ面２５の始点から上面側に向けて垂直におろした垂直壁部と、垂直壁部と直交する方向に延びる水平壁部からなる。水平壁部は、第１横材３１の後面３１ｃよりも上面側に位置する。この段差における第１横材３１の後面３１ｃとの接続部分に逃がし部２１を形成する。
【００２１】
次に、図１１及び図１２を参照して、本実施形態の第２変形例について説明する。本変形例では、上記第１変形例のテーパ面２５を第３横材３３の前面３３ｃまで延ばし、縦材２０における第３横材３３の前面３３ｃとの接続部分に円弧形状の第２逃がし部２２を形成する。第２逃がし部２２は、ベルト調節具１０の下面側に設けられ、テーパ面２５に滑らかに接続されている。第２逃がし部２２は、縦材２０の幅方向内側面２０ａと第３横材３３の上面３３ａとが接続する位置を基準として、その位置よりも幅方向外側に凹む円弧形状の逃がし部である。
【００２２】
本変形例によれば、一対の縦材２０が、第１横材３１の後面３１ｃとの接続部分に円弧形状の逃がし部２１を有すると共に、第３横材３３の前面３３ｃとの接続部分に円弧形状の第２逃がし部２２を有するため、縦材２０と第１横材３１との接続部分及び縦材２０と第３横材３３との接続部分への応力集中を防止することができる。
【００２３】
次に、図１３及び図１４を参照して、本実施形態の第３変形例について説明する。本変形例では、一対の縦材２０が、その幅方向内側面２０ａと上面２０ｃとの境界部分に縦材側縁部２６を有し、第２横材３２が、その上面３２ａと前面（第１横材３１側の側面）３２ｃとの境界部分に横材側縁部２７を有し、縦材側縁部２６と横材側縁部２７との境界部分に円弧形状の第３逃がし部２３を形成する。第３逃がし部２３は、縦材２０の幅方向内側面２０ａと第２横材３２の下面３２ｂとが接続する位置を基準として、その位置よりも幅方向外側に凹む円弧形状の逃がし部である。
【００２４】
本変形例によれば、縦材２０の縦材側縁部２６と第２横材３２の横材側縁部２７との境界部分に円弧形状の第３逃がし部２３を形成するため、縦材２０と第２横材３２との接続部分への応力集中を防止することができる。
【００２５】
（第２実施形態）
次に、図１５〜図１８を参照して、本考案に係るベルト調節具の第２実施形態について説明する。なお、第１実施形態と同一又は同等部分については、図面に同一或いは同等符号を付してその説明を省略或いは簡略化する。また、上記第１実施形態と比較して、第４横材を削除した以外はほぼ同じ構造である。
【００２６】
本実施形態のベルト調節具１０Ｂは、図１５〜図１７に示すように、ベルトＢ１，Ｂ２の長さ方向に延びる一対の縦材２０と、縦材２０の長さ方向一端側から他端側に並べて配置され、一対の縦材２０を幅方向に連結する第１〜第３横材３１〜３３と、を備える。
【００２７】
そして、本実施形態では、図１６〜図１８に示すように、一対の縦材２０は、第１横材３１の後面３１ｃとの接続部分に円弧形状の第１逃がし部２１を有すると共に、第３横材３３の前面（巻掛面）３３ｃとの接続部分に円弧形状の第２逃がし部２２を有する。第１及び第２逃がし部２１，２２は、ベルト調節具１０の下面側に設けられ、より具体的には、ベルト調節具１０の下面から上側に向けて（第２横材３２に向けて）形成されている。
【００２８】
さらに詳細に説明すると、第１逃がし部２１は、縦材２０の幅方向内側面２０ａに凹状の円弧面として形成され、第１横材３１の後面３１ｃに滑らかに接続されている。第２逃がし部２２は、縦材２０の幅方向内側面２０ａに凹状の円弧面として形成され、第３横材３３の前面３３ｃに滑らかに接続されている。
【００２９】
以上説明したように、本実施形態のベルト調節具１０によれば、一対の縦材２０が、第１横材３１の後面３１ｃとの接続部分に円弧形状の第１逃がし部２１を有すると共に、第３横材３３の前面３３ｃとの接続部分に円弧形状の第２逃がし部２２を有するため、縦材２０と第１横材３１との接続部分及び縦材２０と第３横材３３との接続部分への応力集中を防止することができる。
その他の構成及び作用効果については、上記第１実施形態と同様である。
【００３０】
なお、本考案は上記実施形態に例示したものに限定されるものではなく、本考案の要旨を逸脱しない範囲において適宜変更可能である。
例えば、上記各実施形態では、本考案をベルト調節具に適用する場合を例示したが、これに限定されず、２本のベルトを連結するバックルのプラグとソケットのベルト取付部分に本考案を適用してもよい。
【符号の説明】
【００３１】
１０、１０Ｂ    ベルト調節具
２０    一対の縦材
２０ａ  幅方向内側面
２０ｂ  下面
２０ｃ  上面
２１    逃がし部、第１逃がし部
２２    第２逃がし部
２３    第３逃がし部
２５    テーパ面
２６    縦材側縁部
２７    横材側縁部
３１    第１横材
３１ａ  上面
３１ｂ  下面
３１ｃ  後面
３２    第２横材
３２ａ  上面
３２ｂ  下面
３２ｃ  前面（第２横材の第１横材側の側面）
３３    第３横材
３３ａ  上面
３３ｂ  下面
３３ｃ  前面（巻掛面）
３４    第４横材
Ｂ１    長さ調節用ベルト
Ｂ２    固定用ベルト
【図１】
0003208551.tif 000003
【図２】
0003208551.tif 000004
【図３】
0003208551.tif 000005
【図４】
0003208551.tif 000006
【図５】
0003208551.tif 000007
【図６】
0003208551.tif 000008
【図７】
0003208551.tif 000009
【図８】
0003208551.tif 000010
【図９】
0003208551.tif 000011
【図１０】
0003208551.tif 000012
【図１１】
0003208551.tif 000013
【図１２】
0003208551.tif 000014
【図１３】
0003208551.tif 000015
【図１４】
0003208551.tif 000016
【図１５】
0003208551.tif 000017
【図１６】
0003208551.tif 000018
【図１７】
0003208551.tif 000019
【図１８】
0003208551.tif 000020